(57)【要約】  液晶表示パネル（２）の表示欠陥検査装置（１）は、液晶表示パネル（２）の表示領域において複数の表示色の表示が行われるように、液晶表示パネル（２）を駆動させる液晶表示パネル駆動部（５）と、液晶表示パネル（２）に対して照射光を照射するバックライト（４）の輝度を調節するための光源輝度調節部（６ａ）とを備えている。そして、光源輝度調節部（６ａ）は、表示領域に表示される表示色の各々における表示面輝度が略同一となるように、バックライト（４）の輝度を変化させる。
2011043065.tif 000002
【特許請求の範囲】
【請求項１】
複数種の着色層からなる画素が２次元的に複数配列された表示領域を備える表示パネルの前記表示領域に複数の表示色を表示することにより前記画素における表示欠陥の有無を検査する表示パネルの表示欠陥検査装置であって、
前記表示領域において前記表示色の表示が行われるように、前記表示パネルを駆動させる表示パネル駆動部と、
前記表示パネルに対して照射光を照射する光源の輝度を調節するための光源輝度調節部とを備え、
前記光源輝度調節部は、前記表示領域に表示される前記表示色の各々における表示面輝度が略同一となるように、前記光源の輝度を変化させることを特徴とする表示パネルの表示欠陥検査装置。
【請求項２】
複数種の着色層からなる画素が２次元的に複数配列された表示領域を備える表示パネルの前記表示領域に複数の表示色を表示することにより前記画素における表示欠陥の有無を検査する表示パネルの表示欠陥検査装置であって、
前記表示領域において前記表示色の表示が行われるように、前記表示パネルを駆動させる表示パネル駆動部と、
前記表示パネルに対して照射光を照射する光源の輝度を調節するための光源輝度調節部とを備え、
前記光源輝度調節部は、前記表示領域に表示される前記表示色の各々における表示面輝度の輝度差が小さくなるように、前記光源の輝度を変化させることを特徴とする表示パネルの表示欠陥検査装置。
【請求項３】
前記光源輝度調節部は、前記表示領域に表示される前記表示色の各々における表示面輝度が低い順となるように、前記光源の輝度を変化させることを特徴とする請求項１または請求項２に記載の表示パネルの表示欠陥検査装置。
【請求項４】
前記光源輝度調節部は、前記表示領域に表示される前記表示色の各々における表示面輝度が高い順となるように、前記光源の輝度を変化させることを特徴とする請求項１または請求項２に記載の表示パネルの表示欠陥検査装置。
【請求項５】
前記表示欠陥が輝点欠陥であることを特徴とする請求項１〜請求項４のいずれか１項に記載の表示パネルの表示欠陥検査装置。
【請求項６】
前記表示欠陥が黒点欠陥であることを特徴とする請求項１〜請求項４のいずれか１項に記載の表示パネルの表示欠陥検査装置。
【請求項７】
前記表示パネルが、液晶表示パネルであることを特徴とする請求項１〜請求項６のいずれか１項に記載の表示パネルの表示欠陥検査装置。
【請求項８】
複数種の着色層からなる画素が２次元的に複数配列された表示領域を備える表示パネルの前記表示領域に複数の表示色を表示することにより前記画素における表示欠陥の有無を検査する表示パネルの表示欠陥検査方法であって、
前記表示領域に表示される前記表示色の各々における表示面輝度が略同一となるように、前記光源の輝度を変化させることを特徴とする表示パネルの表示欠陥検査方法。
【請求項９】
複数種の着色層からなる画素が２次元的に複数配列された表示領域を備える表示パネルの前記表示領域に複数の表示色を表示することにより前記画素における表示欠陥の有無を検査する表示パネルの表示欠陥検査方法であって、
前記表示領域に表示される前記表示色の各々における表示面輝度の輝度差が小さくなるように、前記光源の輝度を変化させることを特徴とする表示パネルの表示欠陥検査方法。
【請求項１０】
前記表示領域に表示される前記表示色の各々における表示面輝度が低い順となるように、前記光源の輝度を変化させることを特徴とする請求項８または請求項９に記載の表示パネルの表示欠陥検査方法。
【請求項１１】
前記表示領域に表示される前記表示色の各々における表示面輝度が高い順となるように、前記光源の輝度を変化させることを特徴とする請求項８または請求項９に記載の表示パネルの表示欠陥検査方法。
【請求項１２】
前記表示欠陥が輝点欠陥であることを特徴とする請求項８〜請求項１１のいずれか１項に記載の表示パネルの表示欠陥検査方法。
【請求項１３】
前記表示欠陥が黒点欠陥であることを特徴とする請求項８〜請求項１１のいずれか１項に記載の表示パネルの表示欠陥検査方法。
【請求項１４】
前記表示パネルが、液晶表示パネルであることを特徴とする請求項８〜請求項１３のいずれか１項に記載の表示パネルの表示欠陥検査方法。
【発明の詳細な説明】
【技術分野】
【０００１】
本発明は、液晶表示パネル等の表示パネルの輝点欠陥等の表示欠陥の有無を検査するための表示欠陥検査装置および表示欠陥検査方法に関する。
【背景技術】
【０００２】
近年、より高品位な画像表示が可能な液晶表示パネルが強く要望されている。しかしながら、現在の液晶表示パネルの製造技術では、表示欠陥の発生を防止することは困難である。このため、表示欠陥の低減された高品位の液晶表示パネルを提供するために、製造工程において、表示欠陥検査（画質検査）工程が行われている。【０００３】
また、輝点（絵素間のリーク等に起因する異常点灯であって、表示画面よりも明るく見える点状の欠陥）欠陥、黒点（不点灯等に起因する異常点灯であって、表示画面よりも暗く見える点状の欠陥）欠陥、欠点（キズや配向ムラ等）欠陥、ムラといった表示パネルの表示欠陥の有無の検査工程は、検査員の目視により行われるのが一般的である。【０００４】
検査員による目視検査工程は、良品として扱うことができる最低品位のサンプルである限界サンプルを用いて行われる。例えば、輝点欠陥の検査においては、液晶表示パネルと限界サンプルとを検査員が見比べることにより、合否（輝点欠陥の有無）の判定が行われる。【０００５】
また、例えば、液晶表示パネルに所定のパターンを表示させて、目視により検査する方法が提案されている。より具体的には、液晶表示パネルにパターンの異なる２種類の市松パターンを交互に表示させて、表示させた市松パターンを目視して検査する方法が開示されている（例えば特許文献１参照）。
【先行技術文献】
【特許文献】
【０００６】
【特許文献１】特開平８−２４１０４６号公報
【発明の概要】
【発明が解決しようとする課題】
【０００７】
ここで、上記従来の目視検査においては、画面表示の切り替えによる急激な画面輝度の変化により、検査員の視覚に錯覚現象が生じてしまい、表示欠陥の視認そのものが困難になるという問題が生じていた。【０００８】
このような問題が発生する要因としては、人間の目の明順応、暗順応に要する時間が挙げられる。即ち、例えば、液晶表示パネルの表示を輝度の大きな白色表示から輝度の小さな黒色表示に切り替えた場合、急激な画面輝度の変化により、暗順応に要する時間が長くなる。そのため、白色表示から黒色表示に切り替えた直後の数秒間は、黒色表示画面に存在する表示欠陥を全く認識できない状態が続くことになる。また、同様に、液晶表示パネルの表示を輝度の小さい黒色表示から輝度の大きな緑色表示に切り替えた場合、急激な画面輝度の変化により、明順応に要する時間が長くなる。そのため、黒色表示から緑色表示に切り替えた直後の数秒間は、緑色表示画面に存在する表示欠陥を全く認識できない状態が続くことになる。【０００９】
その結果、表示パネルの表示欠陥検査を目視で行う場合、検査員が表示欠陥を見逃してしまうという問題が生じていた。特に、目視による視認が困難である輝点欠陥、黒点欠陥、欠点欠陥という点欠陥の見逃しが発生するという問題があった。【００１０】
そこで、本発明は、上述の問題に鑑みてなされたものであり、液晶表示パネル等の表示パネルの表示欠陥の検査を目視により行う際の表示パネルの表示欠陥検出の精度を向上することができる表示パネルの表示欠陥検査装置および表示欠陥検査方法を提供することを目的とする。
【課題を解決するための手段】
【００１１】
上記目的を達成するために、本発明の表示パネルの表示欠陥検査装置は、複数種の着色層からなる画素が２次元的に複数配列された表示領域を備える表示パネルの表示領域に複数の表示色を表示することにより画素における表示欠陥の有無を検査する表示パネルの表示欠陥検査装置であって、表示領域において表示色の表示が行われるように、表示パネルを駆動させる表示パネル駆動部と、表示パネルに対して照射光を照射する光源の輝度を調節するための光源輝度調節部とを備え、光源輝度調節部は、表示領域に表示される表示色の各々における表示面輝度が略同一となるように、光源の輝度を変化させることを特徴とする。【００１２】
同構成によれば、表示領域に表示される前後の表示色における表示面輝度の輝度差をなくすことが可能になる。従って、色表示を変化させる際の急激な表示面輝度の変化の発生を確実に防止できるため、表示パネルの表示欠陥検査を目視により行う際に、明暗順応に要する時間が不要になる。その結果、検査員の視覚における錯覚現象の発生を確実に防止することが可能になり、目視による表示欠陥の検出精度を向上することが可能になる。【００１３】
本発明の表示パネルの表示欠陥検査装置は、複数種の着色層からなる画素が２次元的に複数配列された表示領域を備える表示パネルの表示領域に複数の表示色を表示することにより画素における表示欠陥の有無を検査する表示パネルの表示欠陥検査装置であって、表示領域において表示色の表示が行われるように、表示パネルを駆動させる表示パネル駆動部と、表示パネルに対して照射光を照射する光源の輝度を調節するための光源輝度調節部とを備え、光源輝度調節部は、表示領域に表示される表示色の各々における表示面輝度の輝度差が小さくなるように、光源の輝度を変化させることを特徴とする。【００１４】
同構成によれば、表示領域に表示される前後の表示色における表示面輝度の輝度差を小さくして、色表示を変化させる際の急激な表示面輝度の変化の発生を防止することができる。従って、表示パネルの表示欠陥検査を目視により行う際に、明暗順応に要する時間を短縮することが可能になる。その結果、検査員の視覚における錯覚現象の発生を効果的に抑制することが可能になり、目視による表示欠陥の検出精度を向上することが可能になる。【００１５】
また、本発明の表示パネルの表示欠陥検査装置においては、光源輝度調節部は、表示領域に表示される表示色の各々における表示面輝度が低い順となるように、光源の輝度を変化させる構成としてもよい。【００１６】
同構成によれば、表示領域に表示される前後の表示色における表示面輝度の輝度差をより一層小さくして、色表示を変化させる際の急激な表示面輝度の変化の発生を確実に防止することができる。【００１７】
また、表示面輝度が低い順となるように、光源の輝度を変化させる構成としており、一般に、明順応に要する時間は暗順応に要する時間に比べて極めて短いため、表示パネルの表示欠陥検査に要する時間を効果的に短縮することが可能になる。【００１８】
また、本発明の表示パネルの表示欠陥検査装置においては、光源輝度調節部は、表示領域に表示される表示色の各々における表示面輝度が高い順となるように、光源の輝度を変化させる構成としても良い。【００１９】
また、本発明の表示パネルの表示欠陥検査装置は、目視による表示欠陥の検出精度を向上することができるという優れた特性を備えている。従って、本発明の表示パネルの表示欠陥検査装置は、表示欠陥が輝点欠陥または黒点欠陥の場合に好適に使用される。また、本発明の表示パネルの表示欠陥検査装置は、表示パネルが、液晶表示パネルである場合に好適に使用される。【００２０】
本発明の表示パネルの表示欠陥検査方法は、複数種の着色層からなる画素が２次元的に複数配列された表示領域を備える表示パネルの表示領域に複数の表示色を表示することにより画素における表示欠陥の有無を検査する表示パネルの表示欠陥検査方法であって、表示領域に表示される表示色の各々における表示面輝度が略同一となるように、光源の輝度を変化させることを特徴とする。【００２１】
同構成によれば、表示領域に表示される前後の表示色における表示面輝度の輝度差をなくすことが可能になる。従って、色表示を変化させる際の急激な表示面輝度の変化の発生を確実に防止できるため、表示パネルの表示欠陥検査を目視により行う際に、明暗順応に要する時間が不要になる。その結果、検査員の視覚における錯覚現象の発生を確実に防止することが可能になり、目視による表示欠陥の検出精度を向上することが可能になる。【００２２】
本発明の表示パネルの表示欠陥検査方法は、複数種の着色層からなる画素が２次元的に複数配列された表示領域を備える表示パネルの表示領域に複数の表示色を表示することにより画素における表示欠陥の有無を検査する表示パネルの表示欠陥検査方法であって、表示領域に表示される表示色の各々における表示面輝度の輝度差が小さくなるように、光源の輝度を変化させることを特徴とする。【００２３】
同構成によれば、表示領域に表示される前後の表示色における表示面輝度の輝度差を小さくして、色表示を変化させる際の急激な表示面輝度の変化の発生を防止することができる。従って、表示パネルの表示欠陥検査を目視により行う際に、明暗順応に要する時間を短縮することが可能になる。その結果、検査員の視覚における錯覚現象の発生を効果的に抑制することが可能になり、目視による表示欠陥の検出精度を向上することが可能になる。【００２４】
また、本発明の表示パネルの表示欠陥検査方法は、表示領域に表示される表示色の各々における表示面輝度が低い順となるように、光源の輝度を変化させる構成としてもよい。【００２５】
同構成によれば、表示領域に表示される前後の表示色における表示面輝度の輝度差をより一層小さくして、色表示を変化させる際の急激な表示面輝度の変化の発生を確実に防止することができる。【００２６】
また、表示面輝度が低い順となるように、光源の輝度を変化させる構成としており、一般に、明順応に要する時間は暗順応に要する時間に比べて極めて短いため、表示パネルの表示欠陥検査に要する時間を効果的に短縮することが可能になる。【００２７】
また、本発明の表示パネルの表示欠陥検査方法は、表示領域に表示される表示色の各々における表示面輝度が高い順となるように、光源の輝度を変化させる構成としても良い。【００２８】
また、本発明の表示パネルの表示欠陥検査方法は、目視による表示欠陥の検出精度を向上することができるという優れた特性を備えている。従って、本発明の表示パネルの表示欠陥検査方法は、表示欠陥が輝点欠陥または黒点欠陥の場合に好適に使用される。また、本発明の表示パネルの表示欠陥検査方法は、表示パネルが、液晶表示パネルである場合に好適に使用される。
【発明の効果】
【００２９】
本発明によれば、目視による表示パネルの表示欠陥の検出精度を向上することができる。
【図面の簡単な説明】
【００３０】
【図１】本発明の第１の実施形態に係る液晶表示パネルの表示欠陥の有無を検査するための欠陥検査装置の構成を示す概念図である。
【図２】本発明の第１の実施形態に係る液晶表示パネルの表示欠陥検査装置により検査される液晶表示パネルの構成を説明するための平面図である。
【図３】本発明の第１の実施形態に係る液晶表示パネルの表示欠陥検査装置により検査される液晶表示パネルの構成を説明するための断面図である。
【図４】本発明の第１の実施形態に係る液晶表示パネルの表示欠陥検査方法を説明するためのフローチャートである。
【図５】本発明の第２の実施形態に係る液晶表示パネルの表示欠陥検査方法を説明するためのフローチャートである。
【図６】本発明の第３の実施形態に係る液晶表示パネルの表示欠陥検査方法を説明するためのフローチャートである。
【図７】本発明の第４の実施形態に係る液晶表示パネルの表示欠陥検査方法を説明するためのフローチャートである。
【発明を実施するための形態】
【００３１】
以下、本発明の実施形態を図面に基づいて詳細に説明する。尚、本発明は、以下の実施形態に限定されるものではない。
【００３２】
（第１の実施形態）
図１は、本発明の第１の実施形態に係る液晶表示パネルの表示欠陥の有無を検査するための欠陥検査装置の構成を示す概念図であり、図２は、本発明の第１の実施形態に係る液晶表示パネルの表示欠陥検査装置により検査される液晶表示パネルの構成を説明するための平面図である。また、図３は、本発明の第１の実施形態に係る液晶表示パネルの表示欠陥検査装置により検査される液晶表示パネルの構成を説明するための断面図である。
【００３３】
この欠陥検査装置１は、液晶表示パネル２の個々の液晶画素における表示欠陥の有無を検査するための装置であり、液晶表示パネル２において所定色の表示を行い、目視により、液晶表示パネル２における輝点欠陥や黒点欠陥等の表示欠陥の有無を検査するものである。
【００３４】
また、欠陥検査装置１は、検査対象となる液晶表示パネル２を設置する検査用テーブル３と、検査用テーブル３の背面に設けられ、液晶表示パネル２の一方の表面（即ち、ウラ面２ｂ）に対向するように配置された光源であるバックライト４とを備えている。また、欠陥検査装置１は、液晶表示パネル２に接続されるとともに、当該液晶表示パネル２を駆動するための液晶表示パネル駆動部５と、バックライト４に接続されるとともに、当該バックライト４を駆動するための光源駆動部６とを備えている。
【００３５】
なお、図１に示すように、光源駆動部６は、バックライト４の輝度を調節するための光源輝度調節部６ａを備えている。
【００３６】
また、本実施形態に係る液晶表示パネルの検査方法により検査される液晶表示パネル２は、図２、図３に示すように、バックライト４による表示用光の入射側に設けられた第１基板であるＴＦＴ基板２４と、ＴＦＴ基板２４に対向して配置された第２基板であるＣＦ基板２５と、ＴＦＴ基板２４及びＣＦ基板２５の間に狭持して設けられた表示媒体層である液晶層２６と、ＴＦＴ基板２４及びＣＦ基板２５を互いに接着するとともに液晶層２６を封入するために枠状に設けられたシール材２７とを備えている。
【００３７】
このシール材２７は、液晶層２６を周回するように形成されており、ＴＦＴ基板２４とＣＦ基板２５は、このシール材２７を介して相互に貼り合わされている。なお、液晶表示パネル２は、液晶層２６の厚み（即ち、セルギャップ）を規制するための複数のフォトスペーサ（不図示）を備えている。
【００３８】
また、図２に示すように、液晶表示パネル２は、矩形状に形成されており、液晶表示パネル２の長手方向において、ＴＦＴ基板２４がその上辺においてＣＦ基板２５よりも突出し、その突出した領域には、ゲート線やソース線等の複数の表示用配線が引き出され、端子領域Ｔが構成されている。
【００３９】
また、液晶表示パネル２では、ＴＦＴ基板２４及びＣＦ基板２５が重なる領域に画像表示を行う表示領域（表示面）Ｄが規定されている。ここで、表示領域Ｄは、画像の最小単位である画素がマトリクス状に複数配列されることにより構成されている。
【００４０】
また、シール材２７は、図２に示すように、表示領域Ｄの周囲全体を囲む矩形枠状に設けられている。
【００４１】
また、ＣＦ基板２５は、ＴＦＴ基板２４と液晶層２６とを介して対向するように表示用光の出射側に設けられている。
【００４２】
ＴＦＴ基板２４は、例えば、不図示のガラス基板と、ガラス基板上に形成されたそれぞれ不図示のゲート電極、ソース電極及びドレイン電極を備えたスイッチング素子としての薄膜トランジスタ（ＴＦＴ）、透明絶縁層、画素電極及び配向膜等で構成されている。
【００４３】
ＣＦ基板２５は、例えば、ガラス基板上に格子状及び遮光部として枠状に設けられたブラックマトリクス（不図示）と、ブラックマトリクスの各格子間にそれぞれ設けられ、各画素に対して設けられた複数種の着色層（即ち、赤色層Ｒ、緑色層Ｇ、および青色層Ｂ）を含むカラーフィルタ（不図示）を備えている。また、ＣＦ基板２５は、ブラックマトリクス及びカラーフィルタを覆うように設けられた共通電極（不図示）と、共通電極上に柱状に設けられた上述のフォトスペーサと、共通電極を覆うように設けられた配向膜（不図示）とを備えている。
【００４４】
なお、ブラックマトリクスは、隣接する着色層の間に設けられ、これら複数種の着色層を区画する役割を有するものである。このブラックマトリクスは、Ｔａ（タンタル）、Ｃｒ（クロム）、Ｍｏ（モリブデン）、Ｎｉ（ニッケル）、Ｔｉ（チタン）、Ｃｕ（銅）、Ａｌ（アルミニウム）などの金属材料、カーボンなどの黒色顔料が分散された樹脂材料、または、各々、光透過性を有する複数色の着色層が積層された樹脂材料などにより形成される。
【００４５】
液晶層２６は、例えば、電気光学特性を有するネマチックの液晶材料などにより構成されている。
【００４６】
そして、液晶表示パネル２は、各画素電極毎に構成された画素において、ゲートバスラインからゲート信号が送られてＴＦＴをオン状態にした場合に、ソースバスラインからデータ信号が送られてソース電極及びドレイン電極を介して、画素電極に所定の電荷が書き込まれ、画素電極と共通電極との間で電位差が生じ、液晶層に所定の電圧が印加されるように構成されている。そして、液晶表示パネル２では、印加された電圧の大きさに応じて、液晶分子の配向状態が変わることを利用して、バックライト４から入射する光の透過率を調整することにより、画像が表示される構成となっている。
【００４７】
なお、これらの液晶表示パネル２の駆動は、上述の液晶表示パネル駆動部５により液晶表示パネル２を駆動することにより行われる。
【００４８】
また、図１に示すように、欠陥検査装置１は、液晶表示パネル駆動部５及び光源駆動部６の制御を行う制御手段としてのＣＰＵ７と、記憶手段であるメモリ８とを備えている。このＣＰＵ７には、上述の液晶表示パネル駆動部５及び光源駆動部６が接続されるとともに、メモリ８が接続されており、ＣＰＵ７は、メモリ８に記憶されているプログラムに従い、各部の制御を行う構成となっている。
【００４９】
そして、ＣＰＵ７により、液晶表示パネル駆動部５が駆動されると、当該液晶表示パネル駆動部５は、表示領域Ｄにおいて表示色の表示が行われるように、液晶表示パネル２を駆動させる構成となっている。また、同様に、ＣＰＵ７により、光源駆動部６の光源輝度調節部６ａが駆動されると、当該光源輝度調節部６ａは、液晶表示パネル２に対して照射光を照射するバックライト４の輝度を調節する構成となっている。
【００５０】
次に、本実施形態に係る液晶表示パネルの表示欠陥検査方法について説明する。本実施形態に係る液晶表示パネルの表示欠陥検査方法は、上述の複数種の着色層が設けられた画素が２次元的に複数配列された表示領域Ｄを有するカラーフィルタを備える液晶表示パネル２の表示領域Ｄに複数の表示色を表示することにより画素における表示欠陥の有無を目視により検査する方法である。
【００５１】
そして、本実施形態においては、目視検査を行う検査員の視覚に錯覚現象が生じることを防止するために、画面表示の切り替えによる急激な画面輝度の変化を抑制する点に特徴がある。より具体的には、本実施形態においては、表示領域Ｄに表示される表示色に対応させて、バックライト４の輝度を変化させることにより、表示面輝度を調整する点に特徴がある。
【００５２】
より具体的には、本実施形態においては、液晶表示パネル駆動部５が、複数の表示色が表示領域Ｄに表示されるように液晶表示パネル２を駆動するとともに、光源輝度調節部６ａが、表示領域Ｄに表示される表示色の各々における表示面輝度を調整するために、バックライト４の輝度を変化させる点に特徴がある。
【００５３】
図４は、本発明の第１の実施形態に係る液晶表示パネルの表示欠陥検査方法を説明するためのフローチャートである。なお、本実施形態においては、液晶表示パネル２の表示領域Ｄの全面（即ち、全画素）を同じ階調（ベタパターン）で表示する場合を例に挙げて説明する。
【００５４】
まず、光源であるバックライト４に接続された光源駆動部６により、バックライト４を駆動させて、液晶表示パネル２に対してバックライト４による照射光を照射させる（ステップＳ１）。
【００５５】
次いで、光源輝度調節部６ａにより、バックライト４の輝度を調節する（ステップＳ２）。
【００５６】
次いで、液晶表示パネル２に対してバックライト４による照射光を照射させた状態で、液晶表示パネル２に接続された液晶表示パネル駆動部５により、検査用テーブル３上に載置された液晶表示パネル２を駆動させて、表示領域Ｄにおいて赤色表示を行う（ステップＳ３）。
【００５７】
ここで、赤色表示においては、輝点欠陥よりも黒点欠陥が目立つため、赤色表示における目視による黒点欠陥の検出精度を向上させるべく、上記ステップＳ２において、光源輝度調節部６ａは、黒点欠陥の検出に最適な表示面輝度となるように、バックライト４の輝度を調節する。例えば、標準的なバックライトの輝度（この場合のバックライトの輝度を１とする）における赤色表示の輝度を６９ｃｄ／ｍ２とした場合、光源駆動部６は、表示面輝度が黒点欠陥の検出に最適な輝度（１００ｃｄ／ｍ２程度）となるように、バックライト４の輝度を１．４５に設定する。
【００５８】
即ち、この場合、標準的なバックライトの輝度における赤色表示の輝度が６９ｃｄ／ｍ２であって、バックライトの輝度が１．４５であるため、表示面輝度は、６９×１．４５＝１００．０５ｃｄ／ｍ２となる。
【００５９】
そして、表示領域Ｄにおいて赤色表示を行った状態で、目視により、液晶表示パネル２の表示欠陥の有無の検査を行う（ステップＳ４）。
【００６０】
次いで、光源輝度調節部６ａにより、バックライト４の輝度を調節する（ステップＳ５）。
【００６１】
次いで、液晶表示パネル２に対して輝度が調節されたバックライト４による照射光を照射させた状態で、液晶表示パネル駆動部５により、液晶表示パネル２を駆動させて、表示領域Ｄにおいて灰色表示を行う（ステップＳ６）。
【００６２】
ここで、灰色表示においては、上述の赤色表示と同様に、輝点欠陥よりも黒点欠陥が目立つため、灰色表示における目視による黒点欠陥の検出精度を向上させるべく、上記ステップＳ５において、光源輝度調節部６ａは、黒点欠陥の検出に最適な表示面輝度となるように、バックライト４の輝度を調節する。例えば、標準的なバックライトの輝度における灰色表示の輝度を１５０ｃｄ／ｍ２とした場合、光源駆動部６は、表示面輝度が黒点欠陥の検出に最適な輝度（１００ｃｄ／ｍ２程度）となるように、バックライト４の輝度を０．６７に設定する。
【００６３】
即ち、この場合、灰色表示の輝度が１５０ｃｄ／ｍ２であって、バックライトの輝度が０．６７であるため、表示面輝度は、１５０×０．６７＝１００．５０ｃｄ／ｍ２となる。
【００６４】
そして、表示領域Ｄにおいて灰色表示を行った状態で、目視により、液晶表示パネル２の表示欠陥の有無の検査を行う（ステップＳ７）。
【００６５】
この際、灰色表示を行う前の赤色表示時の表示面輝度は１００．０５ｃｄ／ｍ２であるため、赤色表示から灰色表示へ変更する場合の表示面輝度の変化は１００．５０−１００．０５＝０．４５≒０ｃｄ／ｍ２となる。即ち、本実施形態においては、光源輝度調節部６ａは、表示領域Ｄに表示される表示色の各々（この場合は、灰色と赤色）における表示面輝度が略同一となるように、バックライト４の輝度を変化させる。
【００６６】
このような構成により、表示面輝度の変化の発生を防止することが可能になるため、色表示を変化させる際の急激な表示面輝度の変化の発生を確実に防止することが可能になる。従って、明順応に要する時間がなくなるため、検査員の視覚における錯覚現象の発生を確実に防止することが可能になり、結果として、目視による表示欠陥の検出精度を飛躍的に向上することが可能になる。
【００６７】
次いで、光源輝度調節部６ａにより、バックライト４の輝度を調節する（ステップＳ８）。
【００６８】
次いで、液晶表示パネル２に対して輝度が調節されたバックライト４による照射光を照射させた状態で、液晶表示パネル駆動部５により、液晶表示パネル２を駆動させて、表示領域Ｄにおいて緑色表示を行う（ステップＳ９）。
【００６９】
ここで、緑色表示においても、上述の赤色表示、及び灰色表示と同様に、輝点欠陥よりも黒点欠陥が目立つため、緑色表示における目視による黒点欠陥の検出精度を向上させるべく、上記ステップＳ８において、光源輝度調節部６ａは、黒点欠陥の検出に最適な表示面輝度となるように、バックライト４の輝度を調節する。例えば、標準的なバックライトの輝度における緑色表示の輝度を１９５ｃｄ／ｍ２とした場合、光源駆動部６は、表示面輝度が黒点欠陥の検出に最適な輝度（１００ｃｄ／ｍ２程度）となるように、バックライト４の輝度を０．５１に設定する。
【００７０】
即ち、この場合、緑色表示の輝度が１９５ｃｄ／ｍ２であって、バックライトの輝度が０．５１であるため、表示面輝度は、１９５×０．５１＝９９．４５ｃｄ／ｍ２となる。
【００７１】
そして、表示領域Ｄにおいて緑色表示を行った状態で、目視により、液晶表示パネル２の表示欠陥の有無の検査を行う（ステップＳ１０）。
【００７２】
この際、緑色表示を行う前の灰色表示時の表示面輝度は１００．５０ｃｄ／ｍ２であるため、灰色表示から緑色表示へ変更する場合の表示面輝度の変化は９９．４５−１００．５０＝−１．０５≒０ｃｄ／ｍ２となる。即ち、光源輝度調節部６ａは、表示領域Ｄに表示される表示色の各々（この場合は、緑色と灰色）における表示面輝度が略同一となるように、バックライト４の輝度を変化させる。従って、この場合も、表示面輝度の変化の発生を防止することが可能になるため、色表示を変化させる際の急激な表示面輝度の変化の発生を確実に防止することが可能になる。
【００７３】
次いで、光源輝度調節部６ａにより、バックライト４の輝度を調節する（ステップＳ１１）。
【００７４】
次いで、液晶表示パネル２に対して輝度が調節されたバックライト４による照射光を照射させた状態で、液晶表示パネル駆動部５により、液晶表示パネル２を駆動させて、表示領域Ｄにおいて白色表示を行う（ステップＳ１２）。
【００７５】
ここで、白色表示においても、上述の赤色表示、灰色表示、及び緑色表示と同様に、輝点欠陥よりも黒点欠陥が目立つため、白色表示における目視による黒点欠陥の検出精度を向上させるべく、上記ステップＳ１１において、光源輝度調節部６ａは、黒点欠陥の検出に最適な表示面輝度となるように、バックライト４の輝度を調節する。例えば、標準的なバックライトの輝度における白色表示の輝度を３００ｃｄ／ｍ２とした場合、光源駆動部６は、表示面輝度が黒点欠陥の検出に最適な輝度（１００ｃｄ／ｍ２程度）となるように、バックライト４の輝度を０．３３に設定する。
【００７６】
即ち、この場合、白色表示の輝度が３００ｃｄ／ｍ２であって、バックライトの輝度が０．３３であるため、表示面輝度は、３００×０．３３＝９９ｃｄ／ｍ２となる。
【００７７】
そして、表示領域Ｄにおいて白色表示を行った状態で、目視により、液晶表示パネル２の表示欠陥の有無の検査を行う（ステップＳ１３）。
【００７８】
この際、白色表示を行う前の緑色表示時の表示面輝度は９９．４５ｃｄ／ｍ２であるため、緑色表示から白色表示へ変更する場合の表示面輝度の変化は９９−９９．４５＝−０．４５≒０ｃｄ／ｍ２となる。即ち、光源輝度調節部６ａは、表示領域Ｄに表示される表示色の各々（この場合は、白色と緑色）における表示面輝度が略同一となるように、バックライト４の輝度を変化させる。従って、この場合も、表示面輝度の変化の発生を防止することが可能になるため、色表示を変化させる際の急激な表示面輝度の変化の発生を確実に防止することが可能になる。
【００７９】
このように、本実施形態においては、バックライト４の輝度を調節することにより、表示領域Ｄに表示される複数の表示色（本実施形態においては、赤色、灰色、緑色、及び白色）における表示面輝度を調整し、表示領域Ｄに表示される前後の表示色における表示面輝度の輝度差を小さくして、色表示を変化させる際の急激な表示面輝度の変化の発生を防止する構成としている。
【００８０】
即ち、バックライト４の輝度を調節することなく、バックライトの輝度（発光量）を１（一定）とした場合、赤色表示の輝度が６９ｃｄ／ｍ２であって、バックライトの輝度が１であるため、赤色表示における表示面輝度（最も小さい表示面輝度）は、６９×１＝６９ｃｄ／ｍ２となる。また、白色表示の輝度が３００ｃｄ／ｍ２であって、バックライトの輝度が１であるため、白色表示における表示面輝度（最も大きい表示面輝度）は、３００×１＝３００ｃｄ／ｍ２となる。従って、表示面輝度の最大輝度差は、３００−６９＝２３１ｃｄ／ｍ２となってしまう。
【００８１】
一方、本実施形態においては、上述のごとく、灰色表示における表示面輝度（最も大きい表示面輝度）が１００．５０ｃｄ／ｍ２であり、白色表示における表示面輝度（最も小さい表示面輝度）が９９．００ｃｄ／ｍ２であるため、表示面輝度の最大輝度差は、１００．５０−９９．００＝１．５ｃｄ／ｍ２となる。従って、バックライト４の輝度を調節しない場合に比し、表示面輝度の輝度差を飛躍的に小さくすることが可能になる。
【００８２】
以上に説明した本実施形態によれば、以下の効果を得ることができる。
【００８３】
（１）本実施形態においては、欠陥検査装置１が、液晶表示パネル２に対して照射光を照射する光源であるバックライト４の輝度を調節するための光源輝度調節部６ａを備える構成としている。そして、光源輝度調節部６ａが、表示領域Ｄに表示される表示色の各々における表示面輝度が略同一となるように、バックライト４の輝度を変化させる構成としている。従って、表示領域Ｄに表示される前後の表示色における表示面輝度の輝度差をなくすことが可能になる。従って、色表示を変化させる際の急激な表示面輝度の変化の発生を確実に防止できるため、液晶表示パネル２の表示欠陥検査を目視により行う際に、明暗順応に要する時間が不要になる。その結果、検査員の視覚における錯覚現象の発生を確実に防止することが可能になり、目視による表示欠陥の検出精度を向上することが可能になる。
【００８４】
（第２の実施形態）
次に、本発明の第２の実施形態について説明する。なお、上記第１の実施形態と同様の構成部分については同一の符号を付してその説明を省略する。また、欠陥検査装置の構成、液晶表示パネルの構成は上記第１の実施形態と同様であるため、ここでは詳しい説明を省略する。
【００８５】
本実施形態における液晶表示パネルの表示欠陥検査方法は、上述の第１の実施形態において説明したステップＳ１〜ステップＳ１３と同様であるが、本実施形態においては、光源駆動部６に設けられた光源輝度調節部６ａにより、バックライト４の輝度を予め設定した値刻み（本実施形態においては、０．２５刻み）に変化させて、光源輝度調節部６ａが、表示領域Ｄに表示される表示色の各々における表示面輝度の輝度差が小さくなるように、バックライト４の輝度を変化させる点に特徴がある。
【００８６】
図５は、本発明の第１の実施形態に係る液晶表示パネルの表示欠陥検査方法を説明するためのフローチャートである。
【００８７】
まず、光源であるバックライト４に接続された光源駆動部６により、バックライト４を駆動させて、液晶表示パネル２に対してバックライト４による照射光を照射させる（ステップＳ２１）。
【００８８】
次いで、光源輝度調節部６ａにより、バックライト４の輝度を調節する（ステップＳ２２）。
【００８９】
次いで、液晶表示パネル２に対してバックライト４による照射光を照射させた状態で、液晶表示パネル２に接続された液晶表示パネル駆動部５により、検査用テーブル３上に載置された液晶表示パネル２を駆動させて、表示領域Ｄにおいて赤色表示を行う（ステップＳ２３）。
【００９０】
ここで、上記ステップＳ２２において、光源輝度調節部６ａは、赤色表示において、所定の表示面輝度となるように、バックライト４の輝度を調節する。例えば、標準的なバックライトの輝度における赤色表示の輝度を６９ｃｄ／ｍ２とした場合、光源駆動部６は、バックライト４の輝度を１．２５に設定する。
【００９１】
即ち、この場合、標準的なバックライトの輝度における赤色表示の輝度が６９ｃｄ／ｍ２であって、バックライトの輝度が１．２５であるため、表示面輝度は、６９×１．２５＝８６．２５ｃｄ／ｍ２となる。
【００９２】
そして、表示領域Ｄにおいて赤色表示を行った状態で、目視により、液晶表示パネル２の表示欠陥の有無の検査を行う（ステップＳ２４）。
【００９３】
次いで、光源輝度調節部６ａにより、バックライト４の輝度を調節する（ステップＳ２５）。
【００９４】
次いで、液晶表示パネル２に対して輝度が調節されたバックライト４による照射光を照射させた状態で、液晶表示パネル駆動部５により、液晶表示パネル２を駆動させて、表示領域Ｄにおいて灰色表示を行う（ステップＳ２６）。
【００９５】
ここで、上記ステップＳ２５において、光源輝度調節部６ａは、表示領域Ｄに表示される表示色（この場合は、赤色と灰色）の各々における表示面輝度の輝度差が小さくなるように、バックライト４の輝度を調節する。例えば、標準的なバックライトの輝度における灰色表示の輝度を１５０ｃｄ／ｍ２とした場合、光源駆動部６は、灰色表示における表示面輝度と赤色表示における表示面輝度との輝度差が小さくなるように、バックライト４の輝度を０．５に設定する。
【００９６】
即ち、この場合、灰色表示の輝度が１５０ｃｄ／ｍ２であって、バックライトの輝度が０．５であるため、表示面輝度は、１５０×０．５＝７５ｃｄ／ｍ２となる。
【００９７】
そして、表示領域Ｄにおいて灰色表示を行った状態で、目視により、液晶表示パネル２の表示欠陥の有無の検査を行う（ステップＳ２７）。
【００９８】
この際、灰色表示を行う前の赤色表示時の表示面輝度は８６．２５ｃｄ／ｍ２であるため、赤色表示から灰色表示へ変更する場合の表示面輝度の変化は７５−８６．２５＝−１１．２５ｃｄ／ｍ２となる。即ち、本実施形態においては、光源輝度調節部６ａは、表示領域Ｄに表示される表示色の各々（この場合は、灰色と赤色）における表示面輝度の輝度差が小さくなるように、バックライト４の輝度を変化させる。
【００９９】
このような構成により、表示領域Ｄに表示される前後の表示色における表示面輝度の輝度差を小さくして、色表示を変化させる際の急激な表示面輝度の変化の発生を防止することができる。従って、液晶表示パネル２の表示欠陥検査を目視により行う際に、明暗順応に要する時間を短縮することが可能になるため、検査員の視覚における錯覚現象の発生を効果的に抑制することが可能になる。その結果、目視による表示欠陥の検出精度を向上することが可能になる。
【０１００】
次いで、光源輝度調節部６ａにより、バックライト４の輝度を調節する（ステップＳ２８）。
【０１０１】
次いで、液晶表示パネル２に対して輝度が調節されたバックライト４による照射光を照射させた状態で、液晶表示パネル駆動部５により、液晶表示パネル２を駆動させて、表示領域Ｄにおいて緑色表示を行う（ステップＳ２９）。
【０１０２】
ここで、上記ステップＳ２８において、光源輝度調節部６ａは、表示領域Ｄに表示される表示色（この場合は、灰色と緑色）の各々における表示面輝度の輝度差が小さくなるように、バックライト４の輝度を調節する。例えば、標準的なバックライトの輝度における緑色表示の輝度を１９５ｃｄ／ｍ２とした場合、光源駆動部６は、緑色表示における表示面輝度と灰色表示における表示面輝度との輝度差が小さくなるように、バックライト４の輝度を０．５に設定する。
【０１０３】
即ち、この場合、緑色表示の輝度が１９５ｃｄ／ｍ２であって、バックライトの輝度が０．５であるため、表示面輝度は、１９５×０．５＝９７．５０ｃｄ／ｍ２となる。
【０１０４】
そして、表示領域Ｄにおいて緑色表示を行った状態で、目視により、液晶表示パネル２の表示欠陥の有無の検査を行う（ステップＳ３０）。
【０１０５】
この際、緑色表示を行う前の灰色表示時の表示面輝度は７５ｃｄ／ｍ２であるため、灰色表示から緑色表示へ変更する場合の表示面輝度の変化は９７．５０−７５＝２２．５０ｃｄ／ｍ２となる。即ち、本実施形態においては、光源輝度調節部６ａは、表示領域Ｄに表示される表示色の各々（この場合は、緑色と灰色）における表示面輝度の輝度差が小さくなるように、バックライト４の輝度を変化させる。
【０１０６】
このような構成により、表示領域Ｄに表示される前後の表示色（この場合は、灰色と緑色）における表示面輝度の輝度差を小さくして、色表示を変化させる際の急激な表示面輝度の変化の発生を防止することができる。
【０１０７】
次いで、光源輝度調節部６ａにより、バックライト４の輝度を調節する（ステップＳ３１）。
【０１０８】
次いで、液晶表示パネル２に対して輝度が調節されたバックライト４による照射光を照射させた状態で、液晶表示パネル駆動部５により、液晶表示パネル２を駆動させて、表示領域Ｄにおいて白色表示を行う（ステップＳ３２）。
【０１０９】
ここで、上記ステップＳ３１において、光源輝度調節部６ａは、表示領域Ｄに表示される表示色（この場合は、緑色と白色）の各々における表示面輝度の輝度差が小さくなるように、バックライト４の輝度を調節する。例えば、標準的なバックライトの輝度における白色表示の輝度を３００ｃｄ／ｍ２とした場合、光源駆動部６は、白色表示における表示面輝度と緑色表示における表示面輝度との輝度差が小さくなるように、バックライト４の輝度を０．２５に設定する。
【０１１０】
即ち、この場合、白色表示の輝度が３００ｃｄ／ｍ２であって、バックライトの輝度が０．２５であるため、表示面輝度は、３００×０．２５＝７５ｃｄ／ｍ２となる。
【０１１１】
そして、表示領域Ｄにおいて白色表示を行った状態で、目視により、液晶表示パネル２の表示欠陥の有無の検査を行う（ステップＳ３３）。
【０１１２】
この際、白色表示を行う前の緑色表示時の表示面輝度は９７．５０ｃｄ／ｍ２であるため、緑色表示から白色表示へ変更する場合の表示面輝度の変化は７５−９７．５０＝−２２．５０ｃｄ／ｍ２となる。即ち、本実施形態においては、光源輝度調節部６ａは、表示領域Ｄに表示される表示色の各々（この場合は、白色と緑色）における表示面輝度の輝度差が小さくなるように、バックライト４の輝度を変化させる。
【０１１３】
このような構成により、表示領域Ｄに表示される前後の表示色（この場合は、白色と緑色）における表示面輝度の輝度差を小さくして、色表示を変化させる際の急激な表示面輝度の変化の発生を防止することができる。
【０１１４】
このように、本実施形態においても、上述の第１の実施形態の場合と同様に、バックライト４の輝度を調節することにより、表示領域Ｄに表示される複数の表示色（本実施形態においては、赤色、灰色、緑色、及び白色）における表示面輝度を調整し、表示領域Ｄに表示される前後の表示色における表示面輝度の輝度差を小さくして、色表示を変化させる際の急激な表示面輝度の変化の発生を防止する構成としている。
【０１１５】
即ち、バックライト４の輝度を調節することなく、バックライトの輝度（発光量）を１（一定）とした場合、上述のごとく、表示面輝度の最大輝度差は、３００（白色表示における表示面輝度）−６９（赤色表示における表示面輝度）＝２３１ｃｄ／ｍ２となってしまう。
【０１１６】
一方、本実施形態においては、上述のごとく、緑色表示における表示面輝度（最も大きい表示面輝度）が９７．５０ｃｄ／ｍ２であり、灰色表示または白色表示における表示面輝度（最も小さい表示面輝度）が７５ｃｄ／ｍ２であるため、表示面輝度の最大輝度差は、９７．５０−７５＝２２．５０ｃｄ／ｍ２となり、バックライト４の輝度を調節しない場合に比し、表示面輝度の輝度差を小さくすることが可能になる。
【０１１７】
以上に説明した本実施形態によれば、以下の効果を得ることができる。
【０１１８】
（２）本実施形態においては、光源輝度調節部６ａが、表示領域Ｄに表示される表示色の各々における表示面輝度の輝度差が小さくなるように、バックライト４の輝度を変化させる構成としている。従って、表示領域Ｄに表示される前後の表示色における表示面輝度の輝度差を小さくして、色表示を変化させる際の急激な表示面輝度の変化の発生を防止することができる。従って、液晶表示パネル２の表示欠陥検査を目視により行う際に、明暗順応に要する時間を短縮することが可能になるため、検査員の視覚における錯覚現象の発生を効果的に抑制することが可能になる。その結果、目視による表示欠陥の検出精度を向上することが可能になる。
【０１１９】
（第３の実施形態）
次に、本発明の第３の実施形態について説明する。なお、上記第１の実施形態と同様の構成部分については同一の符号を付してその説明を省略する。また、欠陥検査装置の構成、液晶表示パネルの構成は上記第１の実施形態と同様であるため、ここでは詳しい説明を省略する。
【０１２０】
本実施形態においては、光源輝度調節部６ａが、表示領域Ｄに表示される表示色の各々における表示面輝度が低い順となるように、バックライト４の輝度を変化させる点に特徴がある。
【０１２１】
図６は、本発明の第３の実施形態に係る液晶表示パネルの表示欠陥検査方法を説明するためのフローチャートである。
【０１２２】
まず、光源であるバックライト４に接続された光源駆動部６により、バックライト４を駆動させて、液晶表示パネル２に対してバックライト４による照射光を照射させる（ステップＳ４１）。
【０１２３】
次いで、光源輝度調節部６ａにより、バックライト４の輝度を調節する（ステップＳ４２）。
【０１２４】
次いで、液晶表示パネル２に対してバックライト４による照射光を照射させた状態で、液晶表示パネル２に接続された液晶表示パネル駆動部５により、検査用テーブル３上に載置された液晶表示パネル２を駆動させて、表示領域Ｄにおいて白色表示を行う（ステップＳ４３）。
【０１２５】
ここで、上述の第１の実施形態において説明したように、白色表示においては、輝点欠陥よりも黒点欠陥が目立つため、上記ステップＳ４２において、光源輝度調節部６ａは、黒点欠陥の検出に最適な表示面輝度となるように、バックライト４の輝度を調節する。例えば、標準的なバックライトの輝度における白色表示の輝度を３００ｃｄ／ｍ２とした場合、光源駆動部６は、表示面輝度が黒点欠陥の検出に最適な輝度（１００ｃｄ／ｍ２程度）となるように、バックライト４の輝度を０．３３に設定する。
【０１２６】
この場合、表示面輝度は、３００×０．３３＝９９ｃｄ／ｍ２となる。
【０１２７】
そして、表示領域Ｄにおいて白色表示を行った状態で、目視により、液晶表示パネル２の表示欠陥の有無の検査を行う（ステップＳ４４）。
【０１２８】
次いで、光源輝度調節部６ａにより、バックライト４の輝度を調節する（ステップＳ４５）。
【０１２９】
次いで、液晶表示パネル２に対して輝度が調節されたバックライト４による照射光を照射させた状態で、液晶表示パネル駆動部５により、液晶表示パネル２を駆動させて、表示領域Ｄにおいて緑色表示を行う（ステップＳ４６）。
【０１３０】
ここで、緑色表示においては、上述の赤色表示と同様に、緑色表示における目視による黒点欠陥の検出精度を向上させるべく、上記ステップＳ４５において、光源輝度調節部６ａは、黒点欠陥の検出に最適な表示面輝度となるように、バックライト４の輝度を調節する。例えば、標準的なバックライトの輝度における緑色表示の輝度を１９５ｃｄ／ｍ２とした場合、光源駆動部６は、表示面輝度が黒点欠陥の検出に最適な輝度（１００ｃｄ／ｍ２程度）となるように、バックライト４の輝度を０．５１に設定する。
【０１３１】
この場合、表示面輝度は、上述の白色表示における表示面輝度（９９ｃｄ／ｍ２）よりも高い値（１９５×０．５１＝９９．４５ｃｄ／ｍ２）なる。
【０１３２】
そして、表示領域Ｄにおいて緑色表示を行った状態で、目視により、液晶表示パネル２の表示欠陥の有無の検査を行う（ステップＳ４７）。
【０１３３】
この際、緑色表示を行う前の白色表示時の表示面輝度は９９ｃｄ／ｍ２であるため、白色表示から緑色表示へ変更する場合の表示面輝度の変化は９９．４５−９９＝０．４５≒０ｃｄ／ｍ２となる。
【０１３４】
即ち、本実施形態においても、上述の第１の実施形態の場合と同様に、光源輝度調節部６ａは、表示領域Ｄに表示される表示色の各々（この場合は、白色と緑色）における表示面輝度が略同一となるように、バックライト４の輝度を変化させるため、表示面輝度の変化の発生を防止することが可能になる。
【０１３５】
次いで、光源輝度調節部６ａにより、バックライト４の輝度を調節する（ステップＳ４８）。
【０１３６】
次いで、液晶表示パネル２に対して輝度が調節されたバックライト４による照射光を照射させた状態で、液晶表示パネル駆動部５により、液晶表示パネル２を駆動させて、表示領域Ｄにおいて赤色表示を行う（ステップＳ４９）。
【０１３７】
ここで、赤色表示においても、上述の白色表示、及び緑色表示と同様に、緑色表示における目視による黒点欠陥の検出精度を向上させるべく、上記ステップＳ４８において、光源輝度調節部６ａは、黒点欠陥の検出に最適な表示面輝度となるように、バックライト４の輝度を調節する。例えば、標準的なバックライトの輝度における赤色表示の輝度を６９ｃｄ／ｍ２とした場合、光源駆動部６は、表示面輝度が黒点欠陥の検出に最適な輝度（１００ｃｄ／ｍ２程度）となるように、バックライト４の輝度を１．４５に設定する。
【０１３８】
この場合、表示面輝度は、上述の緑色表示における表示面輝度（９９．４５ｃｄ／ｍ２）よりも高い値（６９×１．４５＝１００．０５ｃｄ／ｍ２）なる。
【０１３９】
そして、表示領域Ｄにおいて赤色表示を行った状態で、目視により、液晶表示パネル２の表示欠陥の有無の検査を行う（ステップＳ５０）。
【０１４０】
この際、赤色表示を行う前の緑色表示時の表示面輝度は９９．４５ｃｄ／ｍ２であるため、緑色表示から赤色表示へ変更する場合の表示面輝度の変化は１００．０５−９９．４５＝０．６０≒０ｃｄ／ｍ２となる。
【０１４１】
即ち、この場合も、上述の第１の実施形態の場合と同様に、光源輝度調節部６ａは、表示領域Ｄに表示される表示色の各々（この場合は、緑色と赤色）における表示面輝度が略同一となるように、バックライト４の輝度を変化させるため、表示面輝度の変化の発生を防止することが可能になる。
【０１４２】
次いで、光源輝度調節部６ａにより、バックライト４の輝度を調節する（ステップＳ５１）。
【０１４３】
次いで、液晶表示パネル２に対して輝度が調節されたバックライト４による照射光を照射させた状態で、液晶表示パネル駆動部５により、液晶表示パネル２を駆動させて、表示領域Ｄにおいて灰色表示を行う（ステップＳ５２）。
【０１４４】
ここで、灰色表示においても、上述の赤色表示、白色表示、及び緑色表示と同様に、白色表示における目視による黒点欠陥の検出精度を向上させるべく、上記ステップＳ５１において、光源輝度調節部６ａは、黒点欠陥の検出に最適な表示面輝度となるように、バックライト４の輝度を調節する。例えば、標準的なバックライトの輝度における灰色表示の輝度を１５０ｃｄ／ｍ２とした場合、光源駆動部６は、表示面輝度が黒点欠陥の検出に最適な輝度（１００ｃｄ／ｍ２程度）となるように、バックライト４の輝度を０．６７に設定する。
【０１４５】
この場合、表示面輝度は、上述の赤色表示における表示面輝度（１００．０５ｃｄ／ｍ２）よりも高い値（１５０×０．６７＝１００．５０ｃｄ／ｍ２）なる。
【０１４６】
そして、表示領域Ｄにおいて灰色表示を行った状態で、目視により、液晶表示パネル２の表示欠陥の有無の検査を行う（ステップＳ５３）。
【０１４７】
この際、灰色表示を行う前の赤色表示時の表示面輝度は１００．０５ｃｄ／ｍ２であるため、赤色表示から灰色表示へ変更する場合の表示面輝度の変化は１００．５０−１００．０５＝０．４５≒０ｃｄ／ｍ２となる。
【０１４８】
即ち、この場合も、上述の第１の実施形態の場合と同様に、光源輝度調節部６ａは、表示領域Ｄに表示される表示色の各々（この場合は、赤色と灰色）における表示面輝度が略同一となるように、バックライト４の輝度を変化させるため、表示面輝度の変化の発生を防止することが可能になる。
【０１４９】
このように、本実施形態においては、上述の第１の実施形態の場合と同様に、バックライト４の輝度を調節することにより、表示領域Ｄに表示される複数の表示色（本実施形態においては、赤色、灰色、緑色、及び白色）における表示面輝度を調整し、表示領域Ｄに表示される前後の表示色における表示面輝度の輝度差を小さくして、色表示を変化させる際の急激な表示面輝度の変化の発生を防止する構成としている。
【０１５０】
また、光源輝度調節部６ａが、表示領域Ｄに表示される表示色の各々における表示面輝度が低い順（白色→緑色→赤色→灰色の表示面輝度の順）となるように、バックライト４の輝度を変化させることにより、表示領域Ｄに表示される前後の表示色における表示面輝度の輝度差をより一層小さくする構成としている。
【０１５１】
即ち、上述の第１の実施形態においては、表示領域Ｄに表示される前後の表示色における表示面輝度の最大輝度差（即ち、灰色表示から緑色表示へ変更する場合の表示面輝度の変化の値）が、９９．４５−１００．５０＝−１．０５ｃｄ／ｍ２であった。
【０１５２】
一方、本実施形態においては、表示領域Ｄに表示される前後の表示色における表示面輝度の最大輝度差は、緑色表示から赤色表示へ変更する場合の表示面輝度の変化の値（１００．０５−９９．４５＝０．６０ｃｄ／ｍ２）である。従って、上述の第１の実施形態に比し、表示領域Ｄに表示される前後の表示色における表示面輝度の輝度差をより一層小さくすることができる。
【０１５３】
以上に説明した本実施形態によれば、上述の（１）の効果に加え、以下の効果を得ることができる。
【０１５４】
（３）本実施形態においては、光源輝度調節部６ａが、表示領域Ｄに表示される表示色の各々における表示面輝度が低い順となるように、バックライト４の輝度を変化させる構成としている。従って、表示領域Ｄに表示される前後の表示色における表示面輝度の輝度差をより一層小さくして、色表示を変化させる際の急激な表示面輝度の変化の発生を確実に防止することができる。
【０１５５】
（４）また、表示面輝度が低い順となるように、バックライト４の輝度を変化させる構成としており、また、一般に、明順応に要する時間は暗順応に要する時間に比べて極めて短いため、液晶表示パネルの表示欠陥検査に要する時間を効果的に短縮することが可能になる。
【０１５６】
（第４の実施形態）
次に、本発明の第４の実施形態について説明する。なお、上記第１の実施形態と同様の構成部分については同一の符号を付してその説明を省略する。また、欠陥検査装置の構成、液晶表示パネルの構成は上記第１の実施形態と同様であるため、ここでは詳しい説明を省略する。
【０１５７】
本実施形態においては、光源駆動部６に設けられた光源輝度調節部６ａにより、バックライト４の輝度を予め設定した値刻み（第２の実施形態と同様に、０．２５刻み）に変化させて、光源輝度調節部６ａが、表示領域Ｄに表示される表示色の各々における表示面輝度の輝度差が小さくなるように、バックライト４の輝度を変化させる点で、上述の第２の実施形態と同様であるが、本実施形態においては、更に、上述の第３の実施形態と同様に、光源輝度調節部６ａが、表示領域Ｄに表示される表示色の各々における表示面輝度が低い順となるように、バックライト４の輝度を変化させる点に特徴がある。
【０１５８】
図７は、本発明の第４の実施形態に係る液晶表示パネルの表示欠陥検査方法を説明するためのフローチャートである。
【０１５９】
まず、光源であるバックライト４に接続された光源駆動部６により、バックライト４を駆動させて、液晶表示パネル２に対してバックライト４による照射光を照射させる（ステップＳ８１）。
【０１６０】
次いで、光源輝度調節部６ａにより、バックライト４の輝度を調節する（ステップＳ８２）。
【０１６１】
次いで、液晶表示パネル２に対してバックライト４による照射光を照射させた状態で、液晶表示パネル２に接続された液晶表示パネル駆動部５により、検査用テーブル３上に載置された液晶表示パネル２を駆動させて、表示領域Ｄにおいて白色表示を行う（ステップＳ８３）。
【０１６２】
ここで、上記ステップＳ８２において、光源輝度調節部６ａは、白色表示において、所定の表示面輝度となるように、バックライト４の輝度を調節する。例えば、標準的なバックライトの輝度における白色表示の輝度を３００ｃｄ／ｍ２とした場合、光源駆動部６は、バックライト４の輝度を０．２５に設定する。
【０１６３】
この場合、表示面輝度は、３００×０．２５＝７５ｃｄ／ｍ２となる。
【０１６４】
そして、表示領域Ｄにおいて白色表示を行った状態で、目視により、液晶表示パネル２の表示欠陥の有無の検査を行う（ステップＳ８４）。
【０１６５】
次いで、光源輝度調節部６ａにより、バックライト４の輝度を調節する（ステップＳ８５）。
【０１６６】
次いで、液晶表示パネル２に対して輝度が調節されたバックライト４による照射光を照射させた状態で、液晶表示パネル駆動部５により、液晶表示パネル２を駆動させて、表示領域Ｄにおいて灰色表示を行う（ステップＳ８６）。
【０１６７】
ここで、上記ステップＳ８５において、光源輝度調節部６ａは、表示領域Ｄに表示される表示色（この場合は、白色と灰色）の各々における表示面輝度の輝度差が小さくなるように、バックライト４の輝度を調節する。例えば、標準的なバックライトの輝度における灰色表示の輝度を１５０ｃｄ／ｍ２とした場合、光源駆動部６は、灰色表示における表示面輝度と白色表示における表示面輝度との輝度差が小さくなるように、バックライト４の輝度を０．５に設定する。
【０１６８】
この場合、表示面輝度は、上述の白色表示における表示面輝度（７５ｃｄ／ｍ２）と同じ値（１５０×０．５＝７５ｃｄ／ｍ２）なる。
【０１６９】
そして、表示領域Ｄにおいて灰色表示を行った状態で、目視により、液晶表示パネル２の表示欠陥の有無の検査を行う（ステップＳ８７）。
【０１７０】
この際、灰色表示を行う前の白色表示時の表示面輝度は７５．００ｃｄ／ｍ２であるため、白色表示から灰色表示へ変更する場合の表示面輝度の変化は７５．００−７５．００＝０ｃｄ／ｍ２となる。
【０１７１】
即ち、本実施形態においても、上述の第２の実施形態の場合と同様に、光源輝度調節部６ａは、表示領域Ｄに表示される表示色の各々（この場合は、白色と灰色）における表示面輝度の輝度差を小さくして、色表示を変化させる際の急激な表示面輝度の変化の発生を防止することができる。
【０１７２】
次いで、光源輝度調節部６ａにより、バックライト４の輝度を調節する（ステップＳ８８）。
【０１７３】
次いで、液晶表示パネル２に対して輝度が調節されたバックライト４による照射光を照射させた状態で、液晶表示パネル駆動部５により、液晶表示パネル２を駆動させて、表示領域Ｄにおいて赤色表示を行う（ステップＳ８９）。
【０１７４】
ここで、上記ステップＳ８８において、光源輝度調節部６ａは、表示領域Ｄに表示される表示色（この場合は、赤色と灰色）の各々における表示面輝度の輝度差が小さくなるように、バックライト４の輝度を調節する。例えば、標準的なバックライトの輝度における赤色表示の輝度を６９ｃｄ／ｍ２とした場合、光源駆動部６は、赤色表示における表示面輝度と灰色表示における表示面輝度との輝度差が小さくなるように、バックライト４の輝度を１．２５に設定する。
【０１７５】
この場合、表示面輝度は、上述の灰色表示における表示面輝度（７５ｃｄ／ｍ２）よりも高い値（６９×１．２５＝８６．２５ｃｄ／ｍ２）なる。
【０１７６】
そして、表示領域Ｄにおいて赤色表示を行った状態で、目視により、液晶表示パネル２の表示欠陥の有無の検査を行う（ステップＳ９０）。
【０１７７】
この際、赤色表示を行う前の灰色表示時の表示面輝度は７５ｃｄ／ｍ２であるため、灰色表示から赤色表示へ変更する場合の表示面輝度の変化は８６．２５−７５＝１１．２５ｃｄ／ｍ２となる。
【０１７８】
即ち、この場合も、上述の第２の実施形態の場合と同様に、光源輝度調節部６ａは、表示領域Ｄに表示される表示色の各々（この場合は、赤色と灰色）における表示面輝度の輝度差を小さくして、色表示を変化させる際の急激な表示面輝度の変化の発生を防止することができる。
【０１７９】
次いで、光源輝度調節部６ａにより、バックライト４の輝度を調節する（ステップＳ９１）。
【０１８０】
次いで、液晶表示パネル２に対して輝度が調節されたバックライト４による照射光を照射させた状態で、液晶表示パネル駆動部５により、液晶表示パネル２を駆動させて、表示領域Ｄにおいて緑色表示を行う（ステップＳ９２）。
【０１８１】
ここで、上記ステップＳ９１において、光源輝度調節部６ａは、表示領域Ｄに表示される表示色（この場合は、赤色と緑色）の各々における表示面輝度の輝度差が小さくなるように、バックライト４の輝度を調節する。例えば、標準的なバックライトの輝度における緑色表示の輝度を１９５ｃｄ／ｍ２とした場合、光源駆動部６は、赤色表示における表示面輝度と緑色表示における表示面輝度との輝度差が小さくなるように、バックライト４の輝度を０．５に設定する。
【０１８２】
この場合、表示面輝度は、上述の赤色表示における表示面輝度（８６．２５ｃｄ／ｍ２）よりも高い値（１９５×０．５＝９７．５０ｃｄ／ｍ２）なる。
【０１８３】
そして、表示領域Ｄにおいて緑色表示を行った状態で、目視により、液晶表示パネル２の表示欠陥の有無の検査を行う（ステップＳ９３）。
【０１８４】
この際、緑色表示を行う前の赤色表示時の表示面輝度は８６．２５ｃｄ／ｍ２であるため、赤色表示から緑色表示へ変更する場合の表示面輝度の変化は９７．５０−８６．２５＝１１．２５ｃｄ／ｍ２となる。
【０１８５】
即ち、この場合も、上述の第２の実施形態の場合と同様に、光源輝度調節部６ａは、表示領域Ｄに表示される表示色の各々（この場合は、緑色と赤色）における表示面輝度の輝度差を小さくして、色表示を変化させる際の急激な表示面輝度の変化の発生を防止することができる。
【０１８６】
このように、本実施形態においては、上述の第２の実施形態の場合と同様に、光源輝度調節部６ａにより、表示領域Ｄに表示される表示色の各々における表示面輝度の輝度差が小さくなるように、バックライト４の輝度を変化させて、色表示を変化させる際の急激な表示面輝度の変化の発生を防止する構成としている。
【０１８７】
また、上述の第３の実施形態の場合と同様に、光源輝度調節部６ａが、表示領域Ｄに表示される表示色の各々における表示面輝度が低い順（白色（または、灰色）→赤色→緑色の表示面輝度の順）となるように、バックライト４の輝度を変化させることにより、表示領域Ｄに表示される前後の表示色における表示面輝度の輝度差をより一層小さくする構成としている。
【０１８８】
即ち、上述の第２の実施形態においては、表示領域Ｄに表示される前後の表示色における表示面輝度の最大輝度差（即ち、灰色表示から緑色表示へ変更する場合の表示面輝度の変化の値、及び緑色表示から白色表示へ変更する場合の表示面輝度の変化の値）が、９７．５０−７５＝２２．５０ｃｄ／ｍ２であった。
【０１８９】
一方、本実施形態においては、表示領域Ｄに表示される前後の表示色における表示面輝度の最大輝度差は、灰色表示から赤色表示へ変更する場合の表示面輝度の変化の値（８６．２５−７５＝１１．２５ｃｄ／ｍ２）、または、赤色表示から緑色表示へ変更する場合の表示面輝度の変化の値（９７．５０−８６．２５＝１１．２５ｃｄ／ｍ２）である。従って、上述の第２の実施形態に比し、表示領域Ｄに表示される前後の表示色における表示面輝度の輝度差をより一層小さくすることができる。
【０１９０】
以上に説明した本実施形態によれば、上述の（２）〜（４）の効果と同様の効果を得ることができる。
【０１９１】
なお、上記実施形態は以下のように変更しても良い。
【０１９２】
上記第３及び第４の実施形態においては、表示領域Ｄに表示される表示色の各々における表示面輝度が低い順となるように、バックライト４の輝度を変化させる構成としたが、表示面輝度が高い順となるように、バックライト４の輝度を変化させる構成としても良い。即ち、上述の第３の実施形態において、表示面輝度が高い順（即ち、灰色→赤色→緑色→白色）となるように、光源輝度調節部６ａにより、バックライト４の輝度を変化させる構成としても良い。この場合も、上述の（１）、（３）の効果と同様の効果を得ることができる。また、上述の第４の実施形態において、表示面輝度が高い順（即ち、緑色→赤色→灰色（または、白色））となるように、光源輝度調節部６ａにより、バックライト４の輝度を変化させる構成としても良い。この場合も、上述の（２）、（３）の効果と同様の効果を得ることができる。
【０１９３】
また、上記第２の実施形態においては、光源輝度調節部６ａにより、バックライト４の輝度を０．２５刻みに変化させる構成としたが、その他の値刻み（例えば、０．１刻み）に変化させる構成としても良い。
【０１９４】
また、上記実施形態においては、表示パネルとして、液晶表示パネルを例に挙げて説明したが、本発明は、エレクトロルミネセンス表示パネル、プラズマ表示パネル、フィールドエミッション表示パネル等の他の表示パネルにも適用することができる。
【０１９５】
更に、上記実施形態においては、表示領域Ｄに表示される複数の表示色として、赤色、灰色、緑色、及び白色を例に挙げて説明したが、液晶表示パネル２の表示欠陥検査を行う際に、表示領域Ｄに表示される複数の表示色は、これらの色に限定されず、、他の色（例えば、シアン、マゼンダ、イエロー）であっても良い。
【産業上の利用可能性】
【０１９６】
本発明の活用例としては、液晶表示パネル等の表示パネルの輝点欠陥等の表示欠陥の有無を検査するための表示欠陥検査装置および表示欠陥検査方法が挙げられる。
【符号の説明】
【０１９７】
１    欠陥検査装置
２    液晶表示パネル
３    検査用テーブル
４    バックライト（光源）
５    液晶表示パネル駆動部
６    光源駆動部
６ａ    光源輝度調節部
７    ＣＰＵ
８    メモリ
【図１】
2011043065.tif 000003
【図２】
2011043065.tif 000004
【図３】
2011043065.tif 000005
【図４】
2011043065.tif 000006
【図５】
2011043065.tif 000007
【図６】
2011043065.tif 000008
【図７】
2011043065.tif 000009
【国際調査報告】
2011043065.tif 000010
2011043065.tif 000011
2011043065.tif 000012
2011043065.tif 000013